(57)【特許請求の範囲】
【請求項１】
後部から後方へ向けて電線が引き出されたコネクタ本体と、
前記コネクタ本体の後部に装着され、前記コネクタ本体の後部から後方へ向けて引き出された前記電線をいったん側方へ向けて屈曲させた後に前側寄りの方向へ導出する電線カバーと、
を具備し、
前記電線カバーは、前記コネクタ本体の後部から引き出された電線の誘導方向に沿って前記コネクタ本体側から順に第１カバーと第２カバーとに２分割されており、
前記第１カバーは、前記コネクタ本体の後部から後方へ向けて引き出された電線を側方へ向けて屈曲するように誘導する断面Ｕ字状の屈曲方向案内壁を有し、
前記第１カバーの一端部と前記コネクタ本体の後部との間には、前記第１カバーをコネクタ本体の後部に対して前記電線の屈曲する側方へスライドさせることでロックして前記第１カバーとコネクタ本体の後部とを着脱自在に結合するスライド式の第１ロック機構が設けられ、
前記第２カバーは、前記第１カバーの屈曲方向案内壁によって側方へ向けて屈曲するように誘導された電線を前側寄りの方向へ向けて案内して導出する断面Ｕ字状の導出方向案内壁を有し、
前記第２カバーの一端部と前記第１カバーの他端部との間には、前記第２カバーを前記第１カバーの他端部に対して前方へスライドさせることでロックして前記第２カバーの一端部と第１カバーの他端部とを着脱自在に結合するスライド式の第２ロック機構が設けられている
ことを特徴とする電線カバー付きコネクタ。
【請求項２】
前記コネクタ本体に、相手側コネクタとの嵌合操作を行うためのレバーが回動自在に装着され、そのレバーの回動軌跡の内側の非干渉スペースに収まるように前記第１カバーが設けられていることを特徴とする請求項１に記載の電線カバー付きコネクタ。
【請求項３】
前記第２カバーが、前記電線の導出方向を異ならせた複数種類の中から選択されて前記第１カバーに結合されていることを特徴とする請求項１又は請求項２に記載の電線カバー付きコネクタ。
【発明の詳細な説明】
【技術分野】
【０００１】
本発明は、コネクタ本体の後部に、電線の導出方向を案内する電線カバーの装着された電線カバー付きコネクタに関するものである。
【背景技術】
【０００２】
特許文献１に、コネクタ本体の後部に、それぞれ半割筒状の接続用アダプタと方向規制プロテクタとからなる電線カバーを装着した電線カバー付きコネクタの一例が開示されている。この電線カバー付きコネクタでは、アダプタを介してコネクタ本体の後部に装着された方向規制プロテクタによって、コネクタ本体の後部から引き出された電線を所定の方向へ向けて誘導するようになっている。
【０００３】
また、この電線カバー付きコネクタでは、接続用アダプタと方向規制プロテクタの各接続側端部に相手側と嵌まる半割構造の嵌合筒が設けられ、接続用アダプタと方向規制プロテクタをそれぞれ閉じ合わせた状態にすることで、嵌合筒と相手側の凹部と凸部を嵌め合わせることで、接続用アダプタをコネクタ本体に結合し、方向規制プロテクタを接合用アダプタに結合していた。
【０００４】
このコネクタでは、接続用アダプタを用いることにより、複数種のコネクタ本体と方向規制プロテクタとを接続できるので、コネクタ本体に合わせた接続用アダプタを用意することで、方向規制プロテクタを共用して用いることができ、汎用性が向上する。
【先行技術文献】
【特許文献】
【０００５】
【特許文献１】特開２００４−１２０９４８号公報
【発明の概要】
【発明が解決しようとする課題】
【０００６】
ところで、上述した従来の電線カバー付きコネクタでは、カバーに相当する部材（接続用アダプタと方向規制プロテクタ）が半割構造になっていて閉じ合わせた状態にすることで相手側と結合するようにしていたので、電線カバーを簡単に組み付けることができず、組付性が悪いという問題があった。また、接続用アダプタが筒状になっている関係で、コネクタ本体の後部から後方へ向けて引き出された電線をコネクタ本体の直後に側方に屈曲させることは難しく、そのため、コネクタ本体の後方側に回転スペースが必要なレバー付きのコネクタなどには適用が難しいという問題があった。
【０００７】
本発明は、上述した事情に鑑みてなされたものであり、その目的は、コネクタ本体への組み付けが簡単にできると共に、レバー付きコネクタのようにコネクタ本体の後方側にレバーの回転スペースが必要なものにも適用することのできる電線カバー付きコネクタを提供することにある。
【課題を解決するための手段】
【０００８】
本発明の上記目的は、下記の構成により達成される。
（１）  後部から後方へ向けて電線が引き出されたコネクタ本体と、
前記コネクタ本体の後部に装着され、前記コネクタ本体の後部から後方へ向けて引き出された前記電線をいったん側方へ向けて屈曲させた後に前側寄りの方向へ導出する電線カバーと、
を具備し、
前記電線カバーは、前記コネクタ本体の後部から引き出された電線の誘導方向に沿って前記コネクタ本体側から順に第１カバーと第２カバーとに２分割されており、
前記第１カバーは、前記コネクタ本体の後部から後方へ向けて引き出された電線を側方へ向けて屈曲するように誘導する断面Ｕ字状の屈曲方向案内壁を有し、
前記第１カバーの一端部と前記コネクタ本体の後部との間には、前記第１カバーをコネクタ本体の後部に対して前記電線の屈曲する側方へスライドさせることでロックして前記第１カバーとコネクタ本体の後部とを着脱自在に結合するスライド式の第１ロック機構が設けられ、
前記第２カバーは、前記第１カバーの屈曲方向案内壁によって側方へ向けて屈曲するように誘導された電線を前側寄りの方向へ向けて案内して導出する断面Ｕ字状の導出方向案内壁を有し、
前記第２カバーの一端部と前記第１カバーの他端部との間には、前記第２カバーを前記第１カバーの他端部に対して前方へスライドさせることでロックして前記第２カバーの一端部と第１カバーの他端部とを着脱自在に結合するスライド式の第２ロック機構が設けられている
ことを特徴とする電線カバー付きコネクタ。
【００１０】
（２）  前記コネクタ本体に、相手側コネクタとの嵌合操作を行うためのレバーが回動自在に装着され、そのレバーの回動軌跡の内側の非干渉スペースに収まるように前記第１カバーが設けられていることを特徴とする上記（１）に記載の電線カバー付きコネクタ。
【００１１】
（３）  前記第２カバーが、前記電線の導出方向を異ならせた複数種類の中から選択されて前記第１カバーに結合されていることを特徴とする上記（１）又は（２）に記載の電線カバー付きコネクタ。
【００１２】
上記（１）の構成の電線カバー付きコネクタによれば、コネクタ本体の後部に一端部を装着した第１カバーによって、コネクタ本体の後部から後方へ向けて引き出された電線を直ぐに側方へ向けて屈曲するように誘導することができる。従って、例えば、コネクタ本体の後方間近に障害物があってコネクタ本体の後方スペースが限られている場合でも、コネクタ本体から引き出された電線を支障なく取り回すことができる。また、コネクタ本体の後方に電線を引き延ばさないですむので、レバー付きコネクタに適用できる。つまり、レバー付きコネクタの場合、コネクタ本体を相手側コネクタと嵌合させる際に、例えば、コネクタ本体の後方に向けてレバーを回動させる必要があるが、そのレバーの回動操作の支障にならないように電線を側方に誘導することができるため、レバー付きコネクタに適用することができる。
【００１３】
また、第１カバーの他端部に装着した第２カバーによって、第１カバーにより側方へ向けて屈曲するように誘導された電線を所定の方向へ向けて案内して導出することができる。この場合、最終的な電線の導出方向を決める第２カバーの前段に第１カバーを介在させていることにより、導出方向を異ならせた複数種類の第２カバーの中から配設条件に適した第２カバーを選択して自由に取り付けることができる。そのため、コネクタ本体に合わせた第１カバーを１種類だけ用意するだけで、複数種類の第２カバーに対して第１カバーを共用して用いることができ、汎用性が向上する。
【００１４】
また、第１カバーや第２カバーを半割構造にするのではなく、断面Ｕ字状の屈曲方向案内壁や導出方向案内壁を有する構造にして、第１カバーや第２カバーを一定方向にスライドさせてロックするようにしているので、組み付け作業がやりやすい。
【００１５】
また、第１カバーのスライドロック方向を側方とし、第２カバーのスライドロック方向を前方としたので、電線の噛み込みを防ぎながら、無理なく両カバーを順番に装着することができる。
【００１６】
上記（２）の構成の電線カバー付きコネクタによれば、レバーの操作の邪魔にならないように電線カバーを配設することができる。
【００１７】
上記（３）の構成の電線カバー付きコネクタによれば、第２カバーの選択により、最終的な電線の導出方向を自由に切り替えることができる。
【発明の効果】
【００１８】
本発明によれば、コネクタ本体の後方スペースが限られている場合でも、コネクタ本体から引き出された電線を支障なく取り回すことができ、コネクタ本体の後方に電線を引き延ばさないですむので、レバー付きコネクタに適用できる。また、最終的な電線の導出方向を決める第２カバーの前段に第１カバーを介在させていることにより、導出方向を異ならせた複数種類の第２カバーの中から配設条件に適した第２カバーを選択して自由に取り付けることができ、そのため、コネクタ本体に合わせた第１カバーを１種類だけ用意するだけで、複数種類の第２カバーに対して第１カバーを共用して用いることができ、汎用性が向上する。また、第１カバーや第２カバーを半割構造にするのではなく、断面Ｕ字状の屈曲方向案内壁や導出方向案内壁を有する構造にして、第１カバーや第２カバーを一定方向にスライドさせてロックするようにしているので、組付作業性の向上が図れる。
【００１９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２０】
【図１】本発明の実施形態の電線カバー及びレバー付きのコネクタの側面図である。
【図２】同電線カバーの構成を示す斜視図である。
【図３】同電線カバーをコネクタ本体に装着する手順説明図で、第１カバーをコネクタ本体に装着しようとしている状態を示す側面図である。
【図４】図３の次の工程として第２カバーを第１カバーに装着しようとしている状態を示す側面図である。
【図５】前記電線カバーをコネクタ本体に装着し終わった状態を示す側面図である。
【図６】図６（ａ）、図６（ｂ）は、前記電線カバーのうち、第２カバーとして、電線導出方向を異ならせたものを組み合わせようとしている状態をそれぞれ示す斜視図である。
【図７】本発明の実施形態に対する比較例として、第１カバーに相当する部分と第２カバーに相当する部分を一体にした形状の電線カバーを側方からスライドさせてコネクタ本体に装着しようとしている状態を示す側面図である。
【図８】図７の電線カバーを、コネクタ本体の後方から前方へ移動させて、その上で更に側方にスライドさせて、コネクタ本体に装着する場合の工程説明図であり、第１段階として、電線カバーをコネクタ本体の後方から前方へ移動させようとしている状態を示す側面図である。
【図９】図８の次の段階として、電線カバーをコネクタ本体に装着する位置を探している状態を示す側面図である。
【図１０】図９の次の段階として、電線カバーをコネクタ本体に対して側方にスライドさせる前の状態を示す側面図である。
【図１１】図１０の次の段階として、電線カバーを側方にスライドさせてコネクタ本体に適正位置に装着した状態を示す側面図である。
【発明を実施するための形態】
【００２１】
以下、本発明の実施形態を図面を参照して説明する。
なお、以降の説明では、実施形態の電線カバー付きコネクタが相手コネクタに対して嵌合する方向を前方、その反対側を後方、コネクタ内の多数の端子（図示略）の並んだ方向を左右方向とする。
【００２２】
図１に示すように、この実施形態の電線カバー付きコネクタは、後部から後方へ向けて電線Ｗが引き出されたコネクタ本体１０と、コネクタ本体１０の後部に装着され、コネクタ本体１０の後部から後方へ向けて引き出された電線Ｗをいったん側方（後述するレバー２０の取付側と反対の左方向）へ向けて屈曲させた後に所定の方向へ導出する電線カバー３０と、コネクタ本体１０の右側の位置に矢印Ｘ方向に回動可能に装着され、相手側コネクタと嵌合する際にコネクタ本体１０の右側方から後側に向けて回動されるレバー２０と、を具備する。
【００２３】
電線カバー３０は、図１〜図３に示すように、コネクタ本体１０の後部から引き出された電線Ｗの誘導方向に沿ってコネクタ本体側から順に第１カバー４０と第２カバー５０とに２分割されている。
【００２４】
第１カバー４０は、コネクタ本体１０の後部から後方へ向けて引き出された電線Ｗを側方へ向けて屈曲するように誘導する断面Ｕ字状の屈曲方向案内壁４１を有しており、この第１カバー４０は、相手側コネクタとの嵌合操作を行うためのレバー２０の回動軌跡の内側の非干渉スペースに収まるように構成されている。
【００２５】
この第１カバー４０の一端部（前端部）とコネクタ本体１０の後部との間には、第１カバー４０をコネクタ本体１０の後部に対して一定の方向へスライドさせることでロックして、第１カバー４０とコネクタ本体１０の後部とを着脱自在に結合するスライド式の第１ロック機構１４、４４が設けられている。この場合の第１カバー４０のロック時のスライド方向は、電線Ｗの屈曲する側方へ向けた方向つまり右から左へ向かう方向である。
【００２６】
第２カバー５０は、第１カバー４０の屈曲方向案内壁４１によって側方へ向けて屈曲するように誘導された電線Ｗを所定の方向へ向けて案内して導出する断面Ｕ字状の導出方向案内壁５１を有している。第２カバー５０の一端部５３は、第１カバー４０の他端部（左端部）４３の上に重なり合うようになっており、それらの間には、第２カバー５０を第１カバー４０の他端部４３に対して一定の方向からスライドさせることでロックして、第２カバーの５０の一端部５３と第１カバー４０の他端部４３とを着脱自在に結合するスライド式の第２ロック機構４５、５５が設けられている。この場合の第２カバー５０のロック時のスライド方向は、後方から前方へ向かう方向である。
【００２７】
電線カバー３０をコネクタ本体１０に組み付ける場合は、図３に示すように、まず、第１カバー４０を右側から左側へ向けて矢印Ａのようにスライドさせる。そうすると、図４に示すように、第１ロック機構１４、４４が互いに係合して、第１カバー４０がコネクタ本体１０に結合される。次に、第２カバー５０の一端部５３を第１カバー４０の他端部４３に向けて後方から前方に矢印Ｂのようにスライドさせる。そうすると、図５に示すように、第２ロック機構４５、５５が互いに係合して、第２カバー５０が第１カバー４０に結合され、これにより、電線カバー３０の装着が完了する。次にレバー２０をコネクタ本体１０に対して装着し、以上によりコネクタが完成する。
【００２８】
上記のように、本実施形態の電線カバー付きコネクタは、コネクタ本体１０の後部に一端部を装着した第１カバー４０によって、コネクタ本体１０の後部から後方へ向けて引き出された電線Ｗを直ぐに側方へ向けて屈曲するように誘導することができる。従って、例えば、コネクタ本体１０の後方間近に障害物があってコネクタ本体１０の後方スペースが限られている場合でも、コネクタ本体１０から引き出された電線Ｗを支障なく取り回すことができる。
【００２９】
また、コネクタ本体１０の後方に電線Ｗを引き延ばさないですむので、本実施形態のようにレバー付きコネクタにも適用できる。つまり、レバー付きコネクタの場合、コネクタ本体１０を相手側コネクタと嵌合させる際に、例えば、コネクタ本体１０の後方に向けてレバー２０を回動させる必要があるが、そのレバー２０の回動操作の支障にならないように電線Ｗを側方に誘導することができるため、レバー付きコネクタに適用することができる。
【００３０】
また、本実施形態では、第１カバー４０や第２カバー５０を半割構造にするのではなく、断面Ｕ字状の屈曲方向案内壁４１や導出方向案内壁５１を有する構造にして、第１カバー４０や第２カバー５０を一定方向にスライドさせてロックするようにしているので、組み付け作業がやりやすい。特に、第１カバー４０のスライドロック方向を側方とし、第２カバー５０のスライドロック方向を前方としたので、電線Ｗの噛み込みを防ぎながら、無理なく両カバー４０、５０を順番に装着することができる。
【００３１】
また、第１カバー４０の他端部４３に装着した第２カバー５０によって、第１カバー４０により側方へ向けて屈曲するように誘導された電線Ｗを所定の方向へ向けて案内して導出することができる。この場合、最終的な電線Ｗの導出方向を決める第２カバー５０の前段に第１カバー４０を介在させていることにより、導出方向を異ならせた複数種類の第２カバー５０の中から配設条件に適した第２カバー５０を選択して自由に取り付けることができる。そのため、コネクタ本体１０に合わせた第１カバー４０を１種類だけ用意するだけで、複数種類の第２カバー５０に対して第１カバー４０を共用して用いることができ、汎用性が向上する。
【００３２】
例えば、上記実施形態の第２カバー５０では、電線Ｗの導出方向を側方から前側寄りの方向に設定していたが、図６（ａ）、図６（ｂ）の第２カバー５０Ａ、５０Ｂのように、第１カバー４０による屈曲方向と直角な方向に導出するようにしてもよい。その場合、導出方向案内壁５１Ａ、５１Ｂの方向を変えるだけでよい。このように、第２カバーの選択により、最終的な電線Ｗの導出方向を自由に切り替えることができる。
【００３３】
図７は、実施形態に対する比較例として、第１カバー１４０に相当する部分と第２カバー１５０に相当する部分を一体にした形状の電線カバー１３０を側方からスライドさせてコネクタ本体１０に装着しようとしている状態を示している。このように一体構造の電線カバー１３０を使用した場合、コネクタ本体１０の後部と電線カバー１３０の端部との間のロック機構１４、１１４のスライドロック方向を矢印Ｃ方向にすることにより、簡単に電線カバー１３０をコネクタ本体１０に装着可能とすることができるのであるが、電線Ｗの導出方向案内壁１５１の向きによっては、一定方向にスライドさせるだけでは、ロックさせることができなくなる。
【００３４】
そこで、図８〜図１０に示すように、まず、電線カバー１３０をコネクタ本体１０に装着できる位置を探しながら（Ｆで囲んだ位置を位置合わせしながら）、電線カバー１３０をコネクタ本体１０に向けて前方に組み付け、次いで、図１０に示す位置から、電線カバー１３０をコネクタ本体１０に対して側方（右から左）にスライドさせて、電線カバー１３０をコネクタ本体１０に結合させている。
【００３５】
このように一体構造の電線カバー１３０とした場合、電線の導出方向の違いによっては、組み付けが面倒になる可能性が高いが、本実施形態のように電線カバー３０を第１カバー４０と第２カバー５０に分割することによって、組み付けの面倒を少なくすることができる。
【００３６】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３７】
１０  コネクタ本体
１４  第１ロック機構
２０  レバー
３０  電線カバー
４０  第１カバー
４４  第１ロック機構
４３  他端部
４５  第２ロック機構
５０  第２カバー
５３  一端部
５５  第２ロック機構
Ｗ  電線
【図１】
0005854864.tif 000002
【図２】
0005854864.tif 000003
【図３】
0005854864.tif 000004
【図４】
0005854864.tif 000005
【図５】
0005854864.tif 000006
【図６】
0005854864.tif 000007
【図７】
0005854864.tif 000008
【図８】
0005854864.tif 000009
【図９】
0005854864.tif 000010
【図１０】
0005854864.tif 000011
【図１１】
0005854864.tif 000012